(57)【要約】  【課題】  汚れや損傷の有無に関係なく和服の開口部を華やかに又はお洒落に装飾して、和服の着用時の美観を高めることができる和服装飾具を提供すること。  【解決手段】  和服装飾具１は、袖口５２の縁部に沿ってその袖口５２の内周面に添着されるものであり、主として、袖口５２を装飾するための装飾用布帛２と、その装飾用布帛２を袖口５２の内周面に着脱可能に添着させる貼着シート３とを備えている。装飾用布帛２は、その幅方向一端部にあたる折り目側端部８が袖口５２の縁端から外方へ向けて僅かに突出されており、貼着シート３は、表裏に粘着面が形成される両面粘着テープで形成されている。貼着シート３は、その一方側の粘着面が袖口５２の内周面に貼着されており、その他方側の粘着面が装飾用布帛２の裏部６のうち袖口５２縁端からの突出部分を除いた箇所に貼着されている。【選択図】        図２
0003116754.tif 000002
【実用新案登録請求の範囲】
【請求項１】
装飾対象となる和服の開口部内周面を装飾するための和服装飾具において、
和服とは別体の長尺帯状の布帛地で形成され、その布帛地の一面側に設けられ装飾模様が施される表部と、その表部と表裏の関係にあって前記布帛地の他面側に設けられ自らの幅方向一端側に装飾模様が少なくとも施される裏部とを有する装飾部材と、
その装飾部材の前記裏部を和服の開口部内周面に向けて、その装飾部材の前記裏部のうち前記装飾模様のある幅方向一端部を和服の開口部縁端から僅かに外方へ突出させた状態で、その装飾部材を和服の開口部内周面に着脱可能に添着させる添着部材とを備えていることを特徴とする和服装飾具。
【請求項２】
前記装飾部材は、前記表部及び裏部の全体に装飾模様が施され、その表部および裏部が略同一幅ずつ表裏に折り重ねられ、その非折り目側の端部を相互に縫合することで帯状に形成され、更に、前記表部および裏部の折り目側の縁端部が和服の開口部縁端から突出される突出部分であり、
前記添着部材は、表裏に粘着面が形成される両面粘着テープで形成され、その一方側の粘着面が和服の開口部内周面に貼着され、その他方側の粘着面が前記装飾部材の前記裏部における前記突出部分を除く部分に貼着されるものであることを特徴とする請求項１記載の和服装飾具。
【請求項３】
前記装飾部材の前記表部および裏部にはそれぞれ異なる装飾模様が施されていることを特徴とする請求項２記載の和服装飾具。
【請求項４】
表裏に粘着面が形成される両面粘着テープを備えており、
前記装飾部材は、前記両面粘着テープの一方側の粘着面に貼着される前記表部と、その表部の幅方向一端側からその表部の幅より小さく折り返されて前記両面粘着テープの他方側の粘着面に貼着される前記裏部とを備え、更に、その裏部および表部の折り目側の縁端部が和服の開口部縁端から突出される突出部分であり、
前記添着部材は、前記両面粘着テープの他方側の粘着面のうち、前記装飾部材の前記裏部との非貼着部分であることを特徴とする請求項１記載の和服装飾具。
【請求項５】
前記装飾部材は、前記添着部材によって和服の開口部内周面に添着される場合、前記突出部分の突出長さが前記裏部の折返し長さより小さく形成されていることを特徴とする請求項４記載の和服装飾具。
【請求項６】
前記装飾部材は、前記表部の幅方向一端側からその表部の幅より小さく折り返されることで前記裏部が形成されると共に、その折り返しにより二つ折り状となった前記表部及び裏部を纏り縫いにより縫合することで帯状に形成され、更に、前記表部および裏部の折り目側の縁端部が和服の開口部縁端から突出される突出部分であり、
前記添着部材は、表裏に粘着面が形成される両面粘着テープで形成され、その一方側の粘着面が和服の開口部内周面に貼着され、その他方側の粘着面が前記装飾部材における前記裏部形成側の面に貼着されており、
なおかつ、
前記添着部材を形成する両面粘着テープは、前記突出部分を除いて前記表部および裏部の双方に跨って設けられるものであることを特徴とする請求項１記載の和服装飾具。
【請求項７】
前記装飾部材は、襟部、袖口、身八口、振八口、又は、裾部の周囲長さと略等しい長さの帯状体に形成されていることを特徴とする請求項１から６のいずれかに記載の和服装飾具。
【請求項８】
前記装飾部材における和服の開口部縁端から突出される前記突出部分の突出長さは、和服の開口部縁端部の厚みと略等しいことを特徴とする請求項１から７のいずれかに記載の和服装飾具。
【考案の詳細な説明】
【技術分野】
【０００１】
本考案は、和服の開口部、例えば、襟部、袖口、身八口、振八口又は裾部などの内周面を華やかに又はお洒落に装飾する和服装飾具に関するものである。
【背景技術】
【０００２】
和服を着用した場合において、その襟部、二箇所の袖口、二箇所の身八口、二箇所の振八口（振り又は振り口ともいう。）又は、裾部などの開口部は、着用者の動きに伴って揺れ動き易い部位であり、その意味で周囲からの注目を惹きやすく、和服の美観を高める隠れたアクセントポイントである。
【考案の開示】
【考案が解決しようとする課題】
【０００３】
しかしながら、上記した和服の開口部は、いずれも着用者の身体が擦れ動く部位でもあるため汚れたり損傷したりして美観が損なわれやすく、アクセントポイントとして有効に機能し辛いという問題点があった。また、和服の開口部内周面は、汚れやすい上に、一旦汚れてしまうと専門家の手によらなければ、汚れを落とすことが難しく、常に美しく維持し続けることが極めて困難であるという問題点もあった。
【０００４】
本考案は、上述した問題点を解決するためになされたものであり、汚れや損傷の有無に関係なく和服の開口部を華やかに又はお洒落に装飾して、和服の着用時の美観を高めることができる和服装飾具を提供することを目的としている。
【課題を解決するための手段】
【０００５】
この目的を達成するために請求項１記載の和服装飾具は、装飾対象となる和服の開口部内周面を装飾するためのものであり、和服とは別体の長尺帯状の布帛地で形成され、その布帛地の一面側に設けられ装飾模様が施される表部と、その表部と表裏の関係にあって前記布帛地の他面側に設けられ自らの幅方向一端側に装飾模様が少なくとも施される裏部とを有する装飾部材と、その装飾部材の前記裏部を和服の開口部内周面に向けて、その装飾部材の前記裏部のうち前記装飾模様のある幅方向一端部を和服の開口部縁端から僅かに外方へ突出させた状態で、その装飾部材を和服の開口部内周面に着脱可能に添着させる添着部材とを備えている。
【０００６】
この請求項１記載の和服装飾具によれば、装飾部材が添着部材により和服の開口部内周面に添着されると、その和服の開口部内周面には装飾部材の表部の装飾模様が現され、和服の開口部縁端からは装飾部材の裏部の装飾模様が僅かに現され、これらの装飾模様によって和服の開口部に美的アクセントが付与される。
【０００７】
請求項２記載の和服装飾具は、請求項１記載の和服装飾具において、前記装飾部材は、前記表部及び裏部の全体に装飾模様が施され、その表部および裏部が略同一幅ずつ表裏に折り重ねられ、その非折り目側の端部を相互に縫合することで帯状に形成され、更に、前記表部および裏部の折り目側の縁端部が和服の開口部縁端から突出される突出部分であり、前記添着部材は、表裏に粘着面が形成される両面粘着テープで形成され、その一方側の粘着面が和服の開口部内周面に貼着され、その他方側の粘着面が前記装飾部材の前記裏部における前記突出部分を除く部分に貼着されるものである。
【０００８】
請求項３記載の和服装飾具は、請求項２記載の和服装飾具において、前記装飾部材の前記表部および裏部にはそれぞれ異なる装飾模様が施されている。
【０００９】
請求項４記載の和服装飾具は、請求項１記載の和服装飾具において、表裏に粘着面が形成される両面粘着テープを備えており、前記装飾部材は、前記両面粘着テープの一方側の粘着面に貼着される前記表部と、その表部の幅方向一端側からその表部の幅より小さく折り返されて前記両面粘着テープの他方側の粘着面に貼着される前記裏部とを備え、更に、その裏部および表部の折り目側の縁端部が和服の開口部縁端から突出される突出部分であり、前記添着部材は、前記両面粘着テープの他方側の粘着面のうち、前記装飾部材の前記裏部との非貼着部分である。
【００１０】
請求項５記載の和服装飾具は、請求項４記載の和服装飾具において、前記装飾部材は、前記添着部材によって和服の開口部内周面に添着される場合、前記突出部分の突出長さが前記裏部の折返し長さより小さく形成されている。このため、装飾部材が両面粘着テープを介して和服に添着された場合に、その両面粘着テープが和服の開口部外周面側に露出することを防止できる。
【００１１】
請求項６記載の和服装飾具は、請求項１記載の和服装飾具において、前記装飾部材は、前記表部の幅方向一端側からその表部の幅より小さく折り返されることで前記裏部が形成されると共に、その折り返しにより二つ折り状となった前記表部及び裏部を纏り縫いにより縫合することで帯状に形成され、更に、前記表部および裏部の折り目側の縁端部が和服の開口部縁端から突出される突出部分であり、前記添着部材は、表裏に粘着面が形成される両面粘着テープで形成され、その一方側の粘着面が和服の開口部内周面に貼着され、その他方側の粘着面が前記装飾部材における前記裏部形成側の面に貼着されており、なおかつ、前記添着部材を形成する両面粘着テープは、前記突出部分を除いて前記表部および裏部の双方に跨って設けられるものである。
【００１２】
請求項７記載の和服装飾具は、請求項１から６のいずれかに記載の和服装飾具において、前記装飾部材は、襟部、袖口、身八口、振八口、又は、裾部の周囲長さと略等しい長さの帯状体に形成されている。よって、和服の襟部、袖口、身八口、振八口又は裾部の内周面ほぼ全周に沿って装飾部材を周着させることができる。
【００１３】
請求項８記載の和服装飾具は、請求項１から７のいずれかに記載の和服装飾具において、前記装飾部材における和服の開口部縁端から突出される前記突出部分の突出長さは、和服の開口部縁端部の厚みと略等しい。装飾部材の突出部分の突出長さとしてはごく僅かではあるが、和服の全体的美観を害することなく、控えめながらも一層効果的なアクセントを和服の開口部外周面側に付与することができる。
【考案の効果】
【００１４】
本考案によれば、隠れたアクセントポイントである和服の開口部を装飾部材の装飾模様によって華やかに又はお洒落に装飾することで、和服の着用時の美的装飾性を高めることができるという効果がある。しかも、装飾部材は和服の開口部縁端から僅かに外方へ突出されるので、和服の開口部外周面側に控えめながらも、装飾部材の裏部の装飾模様による美的装飾性を与えて、尚かつ、あたかも内側に別の着物を重ね着したような風合いを和服の開口部に付与できるという効果がある。
【００１５】
また、例えば、和服の開口部内周面に黄ばみや変色又は汚れがみられるような場合でも、和服の開口部内周面に装飾部材を添着させることで、これらを覆い隠すことができて、臆することなく和服を着用できるという効果もある。しかも、装飾部材を新品の和服に添着すれば、かかる和服の開口部の汚れや損傷を防ぐこともでき、更に、装飾部材が汚れたり損傷した場合には、添着部材を和服から剥がして装飾部材を交換できるという効果もある。
【００１６】
また、請求項２記載の和服装飾具によれば、装飾部材は同一幅ずつ表裏に折り重ねられた表部及び裏部の全体に装飾模様が施されているので、例えば、装飾部材の表部が汚れた場合に装飾部材を裏返して再度添着させれば、まだ汚れていない装飾部材の裏部によって和服の開口部内周面を装飾することができるという効果がある。
【００１７】
また、請求項３記載の和服装飾具によれば、装飾部材の表部と裏部とは互いに異なる装飾模様が施されているので、その時々の好みや状況に応じて装飾部材の表裏を入れ替えることで、異なる装飾模様によるアクセントを楽しむことができるという効果がある。
【００１８】
また、請求項４記載の和服装飾具によれば、装飾部材の表部は両面粘着テープの一方側の粘着面に粘着され、装飾部材の裏部は両面粘着テープの他方側の粘着面に粘着され、両面粘着テープにおける装飾部材の裏部との非貼着部分が添着部材となるので、表部及び裏部を表裏に折り返して相互に縫合する必要もなく、本考案に係る物品を極めて簡素に製造することができるという効果がある。
【００１９】
更に、請求項６記載の和服装飾具によれば、和服の開口部縁端から突出される突出部分は、装飾部材における表部および裏部の折り目側の縁端部であるが、かかる縁端部は裏部が表部に対して纏り縫いにより縫合されるので、かかる装飾部材が和服の開口部内周面に添着される場合に表部の表面に現れる裏部の縫目を目立ち難くできるという効果がある。
【００２０】
また、表部及び裏部の折り目側の縁端部は二つ折り状に折り重なって始末されるので、例えば、三つ折り状にして布端の始末をする場合に比べて、装飾部材の折り目側の縁端部を薄く仕上げることができるという効果がある。しかも、添着部材は、和服の開口部縁端から突出される突出部分を除いて表部及び裏部の双方に跨って覆設されるので、この添着部材により裏部の布端を被覆でき、かかる裏部の布端が解れて破損することを防止できるという効果がある。
【考案を実施するための最良の形態】
【００２１】
以下、本考案の好ましい実施例について、添付図面を参照して説明する。図１は、本考案の一実施例である和服装飾具１（図２参照）が使用される和服５０の正面図である。本実施例の和服装飾具１は、図１に示すような和服５０の開口部の内周面、例えば、襟部（襟裏）５１、袖口５２、振八口５３、身八口５４又は裾部５５のうち少なくともいずれか１つの内周面に添着（貼着）されて、和服５０を装飾するためのものである。
【００２２】
なお、図１では、本考案の和服装飾具１が適用される和服５０として袷仕立てのものを図示しているが、本考案の和服装飾具１が適用される和服５０の種類は必ずしもこれに限定されるものではなく、単仕立てのものや襦袢など他の種類の和服であっても良い。
【００２３】
以下説明する各実施例では、和服装飾具が装着される和服の開口部として袖口を用いて説明する。また、各実施例において用いる装飾用布帛、表部、又は、裏部の幅とは、これらを平面視した場合における短手方向の長さのことをいう。更に、図３、図６及び図８では、便宜上、装飾用布帛の幅方向の一部を省略して図示するものとする。
【００２４】
図２は、第１実施例の和服装飾具１が袖口５２の内周面に添着される状態を示した斜視図であり、図中の破線は、装飾用布帛２の縫合用の糸４を示している。また、実際の装飾用布帛２は袖口５２の全周に添着されるものではあるが、図２では、説明の便宜上、装飾用布帛２の一部のみを図示し、更に部分的に折り返した状態を図示している。
【００２５】
図２に示すように、和服装飾具１は、袖口５２の縁部に沿ってその袖口５２の内周面に添着されるものであり、主として、袖口５２を装飾するための装飾用布帛２と、その装飾用布帛２を袖口５２の内周面に着脱可能に添着させる貼着シート３とを備えている。装飾用布帛２は、袖口５２とは別体に形成される長尺帯状の布帛地であり、その布帛２が添着される袖口５２の周囲長さと略等しい長さに形成されている。
【００２６】
装飾用布帛２は、その一面側（図３上側）に設けられる表部５とその他面側（図３下側）に設けられる裏部６とを有しており、これらの表部５及び裏部６の外面全体にはそれぞれ異なる所定の装飾模様７，８が施されている。なお、装飾用布帛２の装飾模様７，８は単色のものでも多色のものでも良く、更に、本実施例において相互に異なる形態とされた装飾模様７，８を、相互に同種のものとするようにしても良い。
【００２７】
また、装飾用布帛２の素材として使用される布帛地は、例えば、正絹などの天然繊維であっても、ポリエステルなどの化学繊維であっても良い。更に、装飾用布帛２の幅は、例えば、袖口５２用のものであれば略１５ｍｍ、振八口５３用又は身八口５４用のものであれば略５０〜７０ｍｍ、襟部５１用又は裾部５５用のものであれば略２０ｍｍ程度とするのが好ましい。
【００２８】
図３は、図２のＩＩ−ＩＩ線における横断面図であり、図４は、和服装飾具１が装着された袖口５２の正面図である。図３に示すように、装飾用布帛２は、１枚の布帛地を表裏に略同一幅ずつ折り重ねたものであり、その非折り目側端部９を糸４で相互に縫合することで帯状に形成されている。そして、この装飾用布帛２は、その幅方向（図３左右方向）一端部にあたる折り目側端部１０が袖口５２の縁端から外方（図３右方）へ向けて僅かに突出されている。
【００２９】
ここで、装飾用布帛２の折り目側端部１０の突出長さＬ１は、和服５０の着用者の好みに応じて適宜調節可能であるが、例えば、袷仕立ての和服５０などに使用する場合には袖口５２の縁部の厚みｔと略等しい略１．５ｍｍ〜数ｍｍ程度とすることで、図４に示すように、和服５０の全体的美観を害することなく、控えめながらも一層効果的なアクセントを袖口５２の外側（袖口の外周面側）に付与することができる。
【００３０】
図３に戻って説明する。貼着シート３は、表裏に粘着面が形成される両面粘着テープで形成されている。この貼着シート３は、その一方側の粘着面（図３下側面）が袖口５２の内周面に貼着されており、その他方側の粘着面（図３上側面）が装飾用布帛２の裏部６のうち、袖口５２縁端からの突出部分（図３のＬ１の部分）を除いた箇所（袖口５２内周面と対向する箇所）に貼着されている。つまり、貼着シート３は、袖口５２と装飾用布帛２との対向面間に介装されることで、かかる両者を面接合させている。
【００３１】
次に、図５から図８を参照して、上記実施例の変形例について説明する。図５は、第２実施例の和服装飾具２０が袖口５２の内周面に添着される状態を示した斜視図であり、図６は、図５のＶＩ−ＶＩ線における横断面図である。また、実際の和服装飾具２０は袖口５２の全周に添着されるものではあるが、図５では、説明の便宜上、装飾用布帛２の一部のみを図示し、更に部分的に折り返した状態を図示している。
【００３２】
第２実施例の和服装飾具２０は、上記した第１実施例の和服装飾具１に対して、装飾用布帛の構造を変更したものである。以下、第１実施例と同一の部分には同一の符号を付して、その説明を省略し、異なる部分のみを説明する。まず、図５に示すように、第２実施例の和服装飾具２０は、袖口５２の縁部に沿ってその袖口５２の内周面に添着されるものであり、主として、袖口５２を装飾するための装飾用布帛２１と、その装飾用布帛２１を袖口５２の内周面に着脱可能に添着させる貼着シート２２とを備えている。
【００３３】
装飾用布帛２１は、袖口５２とは別体に形成される長尺帯状の布帛地であり、その布帛２１が添着される袖口５２の周囲長さと略等しい長さに形成されている。装飾用布帛２１は、その一面側に設けられる表部２３とその他面側に設けられる裏部２４とを有しており、これらの表部２３及び裏部２４の外面全体には所定の装飾模様（図示せず）が施されている。また、貼着シート２２は、表裏に粘着面が形成される両面粘着テープで形成されている。なお、装飾用布帛２１の表部２３の幅は、上記した第１実施例における装飾用布帛２の幅と略等しくするのが好ましい。
【００３４】
図６に示すように、装飾用布帛２１は、１枚の布帛地の幅方向一端側（図６右側）を折り返したものであって、その表部２３が貼着シート２２の一方側の粘着面（図６上側）に貼着され、その裏部２４が表部２３の幅方向一端側から表部２３の幅より小さく折り返されて貼着シート２２の他方側の粘着面（図６下側面）に貼着されている。このように表部２３及び裏部２４が粘着シート２２にそれぞれ貼着されることで、装飾用布帛２１は定常的に二つ折りの形態とされるのでもある。また、ここに貼着シート２２の他面側の貼着面のうち裏部２４との非貼着部分２２ａは、袖口５２の内周面に貼着されて、装飾用布帛２１を袖口５２に添着させる部分である。
【００３５】
また、装飾用布帛２１は、その幅方向一端部にあたる折り目側端部２５（図６左側）が袖口５２の縁端から外方（図６右方）へ向けて僅かに突出されている。ここで、装飾用布帛２１は、貼着シート２２によって袖口５２の内周面に添着される状態において、袖口５２の縁端からの突出長さＬ１が裏部２４の折返し長さＬ２より小さく形成されている（Ｌ１＜Ｌ２）。これによって、装飾用布帛２１の裏部２４が袖口５２の縁端部と重なり合う格好となり、貼着シート２２が袖口５２から露出することが防止される。
【００３６】
次に、図７は、第３実施例の和服装飾具３０の平面図であり、図８は、図７のＶＩＩＩ−ＶＩＩＩ線における横断面図であって、和服装飾具３０が袖口５２に添着された状態を示している。この第３実施例の和服装飾具３０は、上記した第１実施例の和服装飾具１に対して、装飾用布帛の構造を変更したものである。以下、第１実施例と同一の部分には同一の符号を付して、その説明を省略し、異なる部分のみを説明する。なお、図７では、和服装飾具３０の長手方向の一部を省略して図示している。
【００３７】
図７に示すように、第３実施例の和服装飾具３０は、上記した袖口５２の縁部に沿ってその袖口５２の内周面に添着されるものであり、主として、袖口５２を装飾するための装飾用布帛３１と、その装飾用布帛３１を袖口５２の内周面に着脱可能に添着させる貼着シート３２（図８参照）とを備えている。装飾用布帛３１は、袖口５２とは別体である１枚の長尺帯状の布帛地で形成されており、その布帛３１が添着される袖口５２の周囲長さと略等しい長さに形成されている。
【００３８】
また、この装飾用布帛３１は、その四辺の縁端部がいずれも二つ折り状に裏側（図７の紙面奥側）に折り返されて始末されており、その四辺のうち、布帛３１の幅方向一端側の縁辺に相当する一辺（図７中の上辺）が「纏り縫い」により縫合され（図７中の符号３５）、残る三辺（図７中の左辺、右辺及び下辺）が「直線縫い」により縫合されている（図７中の符号３６）。
【００３９】
なお、本実施例によれば、装飾用布帛３１の四辺の縁端部のうちで「纏り縫い」が施されている縁端部（３５）のみが、後述する表部３３及び裏部３４の折り目側の縁端部に相当するものであって、図８に示すように袖口５２から突出される部分として用いられるものである。従って、装飾用布帛３１の「直線縫い」が施された残る三辺に設けられた折返し部分は、この装飾用布帛３１の裏部３４として機能するものではない。
【００４０】
図８に示すように、装飾用布帛３１は、その一面側（図８上側）に設けられる表部３３とその他面側（図８下側）に設けられる裏部３４とを有しており、これらの表部３３及び裏部３４の外面全体には所定の装飾模様（図示せず）が施されている。装飾用布帛３１は、表部３３の幅方向一端側（図８右側）からその表部３３の幅（図８中の左右方向長さ）より小さく折り返されることで裏部３４が形成され、この折り返された裏部３４が表部３３に対して「纏り縫い」により縫合されている。
【００４１】
また、貼着シート３２は、表裏に粘着面が形成される両面粘着テープで形成され、その一方側の粘着面が和服５０の袖口５２の内周面に貼着され、その他方側の粘着面が装飾用布帛３１における裏部３４形成側の面（図８中の布帛３１の下側面）に貼着されている。ここで、粘着シート３２は、袖口５２からの突出部分（図８中の右端部分）を除いて表部３３および裏部３４の双方に跨って覆設されるので、この粘着シート３２によって裏部３４の布端３４ａを被覆して、かかる布端３４ａの解れを防止することができる。
【００４２】
以上、実施例に基づき本考案を説明したが、本考案は上記実施例に何ら限定されるものではなく、本考案の趣旨を逸脱しない範囲内で、寸法、形状又は素材などについて種々の改良変形が可能であることは容易に推察できるものである。
【００４３】
例えば、第２実施例では、装飾用布帛２１は、袖口５２の内周面に添着される場合に、袖口５２の縁端からの突出長さＬ１が裏部２４の折返し長さＬ２より小さく形成されていると説明したが、この突出長さＬ１と折返し長さＬ２とが略等しくなるように装飾用布帛を袖口５２に添着するようにしても良い。
【図面の簡単な説明】
【００４４】
【図１】本考案の一実施例である和服装飾具が使用される和服の正面図である。
【図２】和服装飾具が袖口の内周面に添着される状態を示した斜視図である。
【図３】図２のＩＩ−ＩＩ線における横断面図である。
【図４】和服装飾具が装着された袖口の正面図である。
【図５】第２実施例の和服装飾具が袖口の内周面に添着される状態を示した斜視図である。
【図６】図５のＶＩ−ＶＩ線における横断面図である。
【図７】第３実施例の和服装飾具の平面図である。
【図８】図７のＶＩＩＩ−ＶＩＩＩ線における横断面図であって袖口に添着された状態を示している。
【符号の説明】
【００４５】
１，２０，３０        和服装飾具
２，２１，３１        装飾用布帛（装飾部材）
３，３２              貼着シート（添着部材）
５，２３，３３        表部（表部、布帛地の一面側）
６，２４，３４        裏部（裏部、布帛地の他面側）
７，８                装飾模様
９                    非折り目側端部（装飾部材の非折り目側の端部）
１０，２５            折り目側端部（突出部分、和服の開口部縁端からの突出部分、装飾部材の幅方向一端側）
２２                  貼着シート（両面粘着テープ）
２２ａ                非粘着部分（添着部材）
５０                  和服（装飾対象たる和服）
５１                  襟部（和服の開口部）
５２                  袖口（和服の開口部）
５３                  振八口（和服の開口部）
５４                  身八口（和服の開口部）
５５                  裾部（和服の開口部）
Ｌ１                  突出長さ（突出部分の突出長さ）
Ｌ２                  折返し長さ（裏部の折返し長さ）
ｔ                    厚み（和服の開口部縁端部の厚み）
【図１】
0003116754.tif 000003
【図２】
0003116754.tif 000004
【図３】
0003116754.tif 000005
【図４】
0003116754.tif 000006
【図５】
0003116754.tif 000007
【図６】
0003116754.tif 000008
【図７】
0003116754.tif 000009
【図８】
0003116754.tif 000010